【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
ＵＨＦ帯とＳＨＦ帯の二つの発振周波数の差の周波数を生成する局部発振部と、該局部発振部で生成した周波数とテレビジョン放送波信号の周波数とを混合する周波数混合器とを備え、前記局部発振部の周波数と前記テレビジョン放送波信号の周波数との和からＳＨＦ帯送信信号の周波数を生成することを特徴とするテレビジョン放送波信号無線送信装置。
【請求項２】
ＵＨＦ帯とＳＨＦ帯の二つの発振周波数の差の周波数を生成する局部発振部と、該局部発振部で生成した周波数とＳＨＦ帯受信信号の周波数とを混合する周波数混合器とを備え、前記局部発振部の周波数と前記ＳＨＦ帯受信信号の周波数との差からテレビジョン放送波信号の周波数を生成することを特徴とするテレビジョン放送波信号無線受信装置。
【請求項３】
ＵＨＦ帯とＳＨＦ帯の二つの発振周波数の差の周波数を生成する局部発振部と、伝送するチャンネル数よりひとつ少なく且つＳＨＦ帯のチャンネル間隔相当の周波数を生成するチャンネル対応発振器と、一チャンネルにおいては前記局部発振部で生成した周波数とテレビジョン放送波信号の周波数とを混合する周波数混合器を備え、前記局部発振部の周波数と前記テレビジョン放送波信号の周波数との和からＳＨＦ帯送信信号の周波数を生成し、他チャンネルにおいては前記局部発振部で生成した周波数と前記チャンネル対応発振器で生成した周波数との和周波数と前記テレビジョン放送波信号の周波数とを混合する周波数混合器を備え、前記和周波数と前記テレビジョン放送波信号の周波数との和からＳＨＦ帯送信信号の周波数を生成することを特徴とするテレビジョン放送波信号無線送信装置。
【請求項４】
ＵＨＦ帯とＳＨＦ帯の二つの発振周波数の差の周波数を生成する局部発振部と、伝送するチャンネル数よりひとつ少なく且つＳＨＦ帯のチャンネル間隔相当の周波数を生成するチャンネル対応発振器と、一チャンネルにおいては前記局部発振器で生成した周波数とＳＨＦ帯受信信号の周波数とを混合する周波数混合器を備え、前記局部発振部の周波数と前記ＳＨＦ帯受信信号の周波数との差からテレビジョン放送波信号の周波数を生成し、他チャンネルにおいては前記局部発振部で生成した周波数と前記チャンネル対応発振器で生成した周波数との和周波数と前記ＳＨＦ帯受信信号の周波数とを混合する周波数周波数混合器を備え、前記局部発振部の周波数と前記ＳＨＦ帯受信信号の周波数との差からテレビジョン放送波信号の周波数を生成することを特徴とするテレビジョン放送波信号無線受信装置。
【手続補正２】
【補正対象書類名】明細書
【補正対象項目名】００１７
【補正方法】変更
【補正の内容】
【００１７】
【課題を解決するための手段】
本発明は、ＵＨＦ帯とＳＨＦ帯の二つの発振周波数の差の周波数を生成する局部発振部と、該局部発振部で生成した周波数とテレビジョン放送波信号の周波数とを混合する周波数混合器とを備え、前記局部発振部の周波数と前記テレビジョン放送波信号の周波数との和からＳＨＦ帯送信信号の周波数を生成することを特徴とするテレビジョン放送波信号無線送信装置である。
【手続補正３】
【補正対象書類名】明細書
【補正対象項目名】００１８
【補正方法】変更
【補正の内容】
【００１８】
本発明は、ＵＨＦ帯とＳＨＦ帯の二つの発振周波数の差の周波数を生成する局部発振部と、該局部発振部で生成した周波数とＳＨＦ帯受信信号の周波数とを混合する周波数混合器とを備え、前記局部発振部の周波数と前記ＳＨＦ帯受信信号の周波数との差からテレビジョン放送波信号の周波数を生成することを特徴とするテレビジョン放送波信号無線受信装置である。
【手続補正４】
【補正対象書類名】明細書
【補正対象項目名】００１９
【補正方法】変更
【補正の内容】
【００１９】
本発明は、ＵＨＦ帯とＳＨＦ帯の二つの発振周波数の差の周波数を生成する局部発振部と、伝送するチャンネル数よりひとつ少なく且つＳＨＦ帯のチャンネル間隔相当の周波数を生成するチャンネル対応発振器と、一チャンネルにおいては前記局部発振部で生成した周波数とテレビジョン放送波信号の周波数とを混合する周波数混合器を備え、前記局部発振部の周波数と前記テレビジョン放送波信号の周波数との和からＳＨＦ帯送信信号の周波数を生成し、他チャンネルにおいては前記局部発振部で生成した周波数と前記チャンネル対応発振器で生成した周波数との和周波数と前記テレビジョン放送波信号の周波数とを混合する周波数混合器を備え、前記和周波数と前記テレビジョン放送波信号の周波数との和からＳＨＦ帯送信信号の周波数を生成することを特徴とするテレビジョン放送波信号無線送信装置である。
【手続補正５】
【補正対象書類名】明細書
【補正対象項目名】００２０
【補正方法】変更
【補正の内容】
【００２０】
本発明は、ＵＨＦ帯とＳＨＦ帯の二つの発振周波数の差の周波数を生成する局部発振部と、伝送するチャンネル数よりひとつ少なく且つＳＨＦ帯のチャンネル間隔相当の周波数を生成するチャンネル対応発振器と、一チャンネルにおいては前記局部発振器で生成した周波数とＳＨＦ帯受信信号の周波数とを混合する周波数混合器を備え、前記局部発振部の周波数と前記ＳＨＦ帯受信信号の周波数との差からテレビジョン放送波信号の周波数を生成し、他チャンネルにおいては前記局部発振部で生成した周波数と前記チャンネル対応発振器で生成した周波数との和周波数と前記ＳＨＦ帯受信信号の周波数とを混合する周波数周波数混合器を備え、前記局部発振部の周波数と前記ＳＨＦ帯受信信号の周波数との差からテレビジョン放送波信号の周波数を生成することを特徴とするテレビジョン放送波信号無線受信装置である。
【手続補正６】
【補正対象書類名】明細書
【補正対象項目名】００２３
【補正方法】変更
【補正の内容】
【００２３】
次に、上記局部発振周波数Ｆｌを生成する局部発振部１５について説明する。先に述べたようにテレビジョン放送波信号の周波数Ｆｉは、局部発振周波数Ｆｌと周波数混合され、直接所望のＳＨＦ帯の周波数Ｆｏに変換し、電力増幅して送信される。
【手続補正７】
【補正対象書類名】明細書
【補正対象項目名】００３０
【補正方法】変更
【補正の内容】
【００３０】
局部発振部１５は多チャンネルに対しての基準発振器であり、図１の局部発振部１５と同じである。分配器１６は局部発振部１５の出力をチャンネルの数だけ分配した出力を持つ。減衰器１７は分配出力の一つをレベル設定して多チャンネルの内１のチャンネルの局部発振信号の周波数Ｆｌａとして、周波数混合器５ａに入力される。
【手続補正８】
【補正対象書類名】明細書
【補正対象項目名】００３５
【補正方法】変更
【補正の内容】
【００３５】
また本実施の形態によれば、多チャンネル無線送信において、基準となる高価なＳＨＦ帯の局部発振部１台を基にし、チャンネル設定用の１０数ＭＨzの発振器、周波数混合器、ＢＰＦを組合せて多チャンネル対応の局部発振部として使用することができる。
【手続補正９】
【補正対象書類名】明細書
【補正対象項目名】符号の説明
【補正方法】変更
【補正の内容】
【符号の説明】
１：入力端子、２：ＢＰＦ、３：低雑音増幅器、４：ＡＧＣ回路、５：周波数混合器、６：電力増幅器、７：出力端子、８：局部発振器、９：中間周波数増幅器、１０：入力端子、１１：入力分波器、１２：出力合成器、１３：電力増幅器、１４：出力端子、１５：局部発振部、１６：分配器、１７：減衰器、１８：チャンネル設定用発振器、１９：周波数混合器、２０：ＢＰＦ。